(57)【要約】【課題】浴槽に水がない状態で風呂回路の循環運転が行われた場合でも、支障をきたさないようにすること。【解決手段】浴槽に水がない状態で風呂回路の循環運転が行われて、追焚往き通路２３からパイパス通路３２を介してタンク２７にエアーが入った場合には、暖房回路に注水する自動注水運転を行い、タンク２７内に入ったエアーをあらかじめ機器外に排出する制御手段３３を備えたものである。上記発明によれば常にタンク２７を水で満たすことができ、常に暖房運転をスムーズに行えるよう制御することができるので使用勝手が向上する。【選択図】　図１
2004044862.tif 000002
【特許請求の範囲】
【請求項１】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路及び浴槽へと注水する自動注水制御手段を備えた追焚・暖房機能付給湯装置。
【請求項２】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路及び浴槽へと給湯する自動お湯はり制御手段を備えた追焚・暖房機能付給湯装置。
【請求項３】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び浴槽へと連通する循環運転で、前記循環ポンプが運転しているにもかかわらず、前記水流検知部が作動しない場合かつ、機器に前記暖房端末機、暖房戻り第１通路、タンク、暖房戻り第２通路、戻り通路切換弁、追焚・暖房用熱交換器、追焚・暖房往き通路、往き通路切換弁、暖房往き通路及び暖房端末機へと連通する暖房運転要求がない場合、追焚・暖房往き通路、往き通路切換弁、暖房往き通路、暖房端末機、暖房戻り第１通路、タンク、バイパス通路、追焚往き通路及び浴槽へと給湯する自動注水制御手段を備えた追焚・暖房機能付給湯装置。
【請求項４】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び浴槽へと連通する循環運転で、前記循環ポンプが運転しているにもかかわらず、前記水流検知部が作動しない場合かつ、機器に前記暖房端末機、暖房戻り第１通路、タンク、暖房戻り第２通路、戻り通路切換弁、追焚・暖房用熱交換器、追焚・暖房往き通路、往き通路切換弁、暖房往き通路、暖房端末機へと連通する暖房運転要求がある場合、追焚・暖房往き通路、往き通路切換弁、暖房往き通路、暖房端末機、暖房戻り第１通路、タンク、バイパス通路、追焚往き通路及び浴槽へと給湯する自動お湯はり制御手段を備えた追焚・暖房機能付給湯装置。
【請求項５】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路及び浴槽へと注水する自動注水を所定時間行う制御手段を備えた追焚・暖房機能付給湯装置。
【請求項６】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路及び浴槽へと給湯する自動お湯はりを所定時間行う制御手段を備えた追焚・暖房機能付給湯装置。
【請求項７】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路及び浴槽へと注水する自動注水を所定流量行う制御手段を備えた追焚・暖房機能付給湯装置。
【請求項８】
給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクを連通するバイパス通路と、前記追焚戻り通路とタンクを連通する暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路及び浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路及び浴槽へと給湯する自動お湯はりを所定流量行う制御手段を備えた追焚・暖房機能付給湯装置。
【発明の詳細な説明】
【０００１】
【発明の属する技術分野】
本発明は、給湯と追焚と暖房ができる追焚・暖房機能付給湯装置に関するものである。
【０００２】
【従来の技術】
従来この種の１缶３水式熱交換器の追焚・暖房機能付給湯装置は、図２に示すような構成になっている。すなわち、給湯運転時には、給湯栓１を開くと湯量センサー２が通水を検知した後、燃焼用ファン３が回転し、ガス元電磁弁４、ガス比例弁５が開き、バーナ６に着火し、給湯用熱交換器７で加熱される。
【０００３】
ここで給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【０００４】
また、追焚運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、追焚往き通路２３、浴槽１６へ循環される。
【０００５】
また、暖房運転時には、循環ポンプ１５により暖房端末機２４の暖房水２５は、暖房戻り第１通路２６、タンク２７、暖房戻り第２通路２８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４へ循環される。
【０００６】
また、追焚・暖房同時運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４、タンク２７、バイパス通路３２、追焚往き通路２３、浴槽１６へ循環される。
【０００７】
また、自動お湯はり運転時には、給湯用熱交換器７で加熱された湯は、給湯電磁弁３０が開き、一方は追焚・暖房戻り通路３１、追焚・暖房用熱交換器２０、追焚・暖房往き通路２１、往き通路切換弁２２、追焚往き通路２３から浴槽１６へ供給され、他方は戻り通路切換弁１９、追焚戻り通路１８から浴槽１６へ供給される。
【０００８】
【発明が解決しようとする課題】
しかしながら、従来の１缶３水式の追焚・暖房機能付給湯装置では、浴槽に水がない状態で風呂回路の循環運転が行われると、追焚往き通路２３からパイパス通路３２を介してタンク２７にエアーが入り、暖房運転時に水流検知部１３が誤検知するという課題を有していた。
【０００９】
【課題を解決するための手段】
本発明は上記課題を解決するために、浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路、浴槽へと注水する自動注水制御手段を備え、タンク内に入ったエアーをあらかじめ排出する制御手段を備えたものである。
【００１０】
上記発明によれば、タンク内に入ったエアーをあらかじめ機器外に排出し、常にタンクは水で満たされているため、常に暖房運転をスムーズに行うことが出来る。また、機器に暖房運転要求がない場合には水張り運転を行い、不必要なエネルギーの消費を抑え、暖房運転要求があるときはお湯張りを行い、その後の暖房運転の継続に支障がないようにすることが出来る。
【００１１】
【発明の実施の形態】
本発明の請求項１記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路、浴槽へと注水する自動注水制御手段を備え、タンク内に入ったエアーをあらかじめ機器外に排出することができ、常にタンクは水で満たされているため、常に暖房運転をスムーズに行うことが出来る。
【００１２】
本発明の請求項２記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路、浴槽へと給湯する自動お湯はり制御手段を備え、タンク内に入ったエアーをあらかじめ機器外に排出することができ、常にタンクは水で満たされているため、常に暖房運転をスムーズに行うことが出来る。
【００１３】
本発明の請求項３記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合かつ、機器に前記暖房端末機、暖房戻り第１通路、タンク、暖房戻り第２通路、戻り通路切換弁、追焚・暖房用熱交換器、追焚・暖房往き通路、往き通路切換弁、暖房往き通路、暖房端末機へと連通する暖房運転要求がない場合、前記追焚・暖房往き通路、往き通路切換弁、暖房往き通路、暖房端末機、暖房戻り第１通路、タンク、バイパス通路、追焚往き通路、浴槽へと注水する自動注水制御手段を備え、タンク内に入ったエアーをあらかじめ機器外に排出することができ、常にタンクは水で満たされているため、常に暖房運転をスムーズに行うことが出来る。また、機器に暖房運転要求がないので水を張ることにより、不必要なエネルギーの消費を抑えることが出来る。
【００１４】
本発明の請求項４記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合かつ、機器に前記暖房端末機、暖房戻り第１通路、タンク、暖房戻り第２通路、戻り通路切換弁、追焚・暖房用熱交換器、追焚・暖房往き通路、往き通路切換弁、暖房往き通路、暖房端末機へと連通する暖房運転要求がある場合、前記追焚・暖房往き通路、往き通路切換弁、暖房往き通路、暖房端末機、暖房戻り第１通路、タンク、バイパス通路、追焚往き通路、浴槽へと給湯する自動お湯はり制御手段を備え、タンク内に入ったエアーをあらかじめ機器外に排出することができ、常にタンクは水で満たされているため、常に暖房運転をスムーズに行うことが出来る。また、機器に暖房運転要求があるのでお湯を張ることによりその後の暖房運転の継続に支障がないようにすることが出来る。
【００１５】
本発明の請求項５記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路、浴槽へと注水する自動注水を所定時間行う制御手段を備え、タンク内に入ったエアーをあらかじめ機器外に排出することができ、常にタンクは水で満たされているため、常に暖房運転をスムーズに行うことが出来る。
【００１６】
本発明の請求項６記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路、浴槽へと給湯する自動お湯はりを所定時間行う制御手段を備え、タンク内に入ったエアーをあらかじめ機器外に排出することができ、常にタンクは水で満たされているため、常に暖房運転をスムーズに行うことが出来る。
【００１７】
本発明の請求項７記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路、浴槽へと注水する自動注水を所定時流量行う制御手段を備え、タンク内に入ったエアーをあらかじめ機器外に排出することができ、常にタンクは水で満たされているため、常に暖房運転をスムーズに行うことが出来る。
【００１８】
本発明の請求項８記載の発明は、給湯用熱交換器と追焚・暖房用熱交換器とを併設し、同一バーナで加熱する方式の１缶３水式熱交換器と、給湯出湯側に設け前記給湯用熱交換器で加熱された湯を追焚回路に給湯する給湯電磁弁と、前記追焚・暖房用熱交換器の下流に設けられた追焚・暖房往き通路と、前記追焚・暖房往き通路の下流に設けられた追焚往き通路および暖房往き通路と、前記追焚往き通路と暖房往き通路を切換える往き通路切換弁と、浴槽からの循環水が流れる追焚戻り通路と、暖房端末機からの循環水が流れる暖房戻り第１通路と、前記暖房戻り通路の下流に設けられたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けられた浴槽水および暖房水を循環させる循環ポンプと、前記追焚・暖房戻り通路に設けられた浴槽水および暖房水の水流を検知する水流検知部を備えて、前記浴槽、追焚戻り通路、戻り通路切換弁、追焚・暖房戻り通路、追焚・暖房用熱交換器、追焚・暖房往き通路、往き通路切換弁、追焚往き通路、浴槽へと連通する循環運転で、前記循環ポンプが運転しているにもかかわらず、前記水流検知部が作動しない場合、前記追焚・暖房往き通路、往き通路切換弁、暖房往き通路、暖房端末機、暖房戻り第１通路、タンク、バイパス通路、追焚往き通路、浴槽へと給湯する自動お湯はりを所定流量行う制御手段を備え、タンク内に入ったエアーをあらかじめ機器外に排出することができ、常にタンクは水で満たされているため、常に暖房運転をスムーズに行うことが出来る。
【００１９】
【実施例】
以下、本発明の実施例について図面を用いて説明する。なお、従来例と同一部品には同一番号を付し説明する。図１は本発明の実施例の１缶３水式熱交換器の追焚・暖房機能付給湯装置の構造図である。
【００２０】
給湯運転時には、給湯栓１を開くと湯量センサー２が通水を検知した後、燃焼用ファン３が回転し、ガス元電磁弁４、ガス比例弁５が開き、バーナ６に着火し、給湯用熱交換器７で加熱される。ここで給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【００２１】
また、追焚運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、追焚往き通路２３、浴槽１６へ循環される。
【００２２】
また、暖房運転時には、循環ポンプ１５により暖房端末機２４の暖房水２５は、暖房戻り第１通路２６、タンク２７、暖房戻り第２通路２８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４へ循環される。
【００２３】
また、追焚・暖房同時運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４、タンク２７、バイパス通路３２、追焚往き通路２３、浴槽１６へ循環される。
【００２４】
そしてまた、自動お湯はり運転時には、給湯用熱交換器７で加熱された湯は、給湯電磁弁３０が開き、一方は追焚・暖房戻り通路３１、追焚・暖房用熱交換器２０、追焚・暖房往き通路２１、往き通路切換弁２２、追焚往き通路２３から浴槽１６へ供給され、他方は戻り通路切換弁１９、追焚戻り通路１８から浴槽１６へ供給される。
【００２５】
ここで、浴槽に水がない状態で風呂回路の循環運転が行われると、機器に暖房運転要求がない場合、追焚・暖房往き通路２１、往き通路切換弁２２、暖房往き通路２９、暖房端末機２４、暖房戻り第１通路２６、タンク２７、バイパス通路３２、追焚往き通路２３、浴槽１７へと注水する自動注水制御手段を備え、タンク内に入ったエアーをあらかじめ機器外に排出することができ、常にタンクは水で満たされているため、常に暖房運転をスムーズに行うことが出来る。また、機器に暖房運転要求がないので水を張ることにより、不必要なエネルギーの消費を抑えることが出来る。
【００２６】
またここで、浴槽に水がない状態で風呂回路の循環運転が行われると、機器に暖房運転要求がある場合、追焚・暖房往き通路２１、往き通路切換弁２２、暖房往き通路２９、暖房端末機２４、暖房戻り第１通路２６、タンク２７、バイパス通路３２、追焚往き通路２３、浴槽１７へと給湯をする自動お湯はり制御手段を備え、タンク内に入ったエアーをあらかじめ機器外に排出することができ、常にタンクは水で満たされているため、常に暖房運転をスムーズに行うことが出来る。
【００２７】
また、機器に暖房運転要求があるのでお湯を張ることによりその後の暖房運転の継続に支障がないようにすることが出来る。
【００２８】
またここで、浴槽に水がない状態で風呂回路の循環運転が行われると、追焚・暖房往き通路２１、往き通路切換弁２２、暖房往き通路２９、暖房端末機２４、暖房戻り第１通路２６、タンク２７、バイパス通路３２、追焚往き通路２３、浴槽１７へと注水する自動注水を所定時間行う制御手段を備え、タンク内に入ったエアーをあらかじめ機器外に排出することができ、常にタンクは水で満たされているため、常に暖房運転をスムーズに行うことが出来る。
【００２９】
またここで、浴槽に水がない状態で風呂回路の循環運転が行われると、追焚・暖房往き通路２１、往き通路切換弁２２、暖房往き通路２９、暖房端末機２４、暖房戻り第１通路２６、タンク２７、バイパス通路３２、追焚往き通路２３、浴槽１７へと給湯する自動お湯はりを所定時間行う制御手段を備え、タンク内に入ったエアーをあらかじめ機器外に排出することができ、常にタンクは水で満たされているため、常に暖房運転をスムーズに行うことが出来る。
【００３０】
またここで、浴槽に水がない状態で風呂回路の循環運転が行われると、機器に暖房運転要求ない場合、追焚・暖房往き通路２１、往き通路切換弁２２、暖房往き通路２９、暖房端末機２４、暖房戻り第１通路２６、タンク２７、バイパス通路３２、追焚往き通路２３、浴槽１７へと注水する自動注水を所定流量行う制御手段を備え、タンク内に入ったエアーをあらかじめ機器外に排出することができ、常にタンクは水で満たされているため、常に暖房運転をスムーズに行うことが出来る。
【００３１】
またここで、浴槽に水がない状態で風呂回路の循環運転が行われると、機器に暖房運転要求ない場合、追焚・暖房往き通路２１、往き通路切換弁２２、暖房往き通路２９、暖房端末機２４、暖房戻り第１通路２６、タンク２７、バイパス通路３２、追焚往き通路２３、浴槽１７へと給湯する自動お湯はりを所定流量行う制御手段を備え、タンク内に入ったエアーをあらかじめ機器外に排出することができ、常にタンクは水で満たされているため、常に暖房運転をスムーズに行うことが出来る。
【００３２】
【発明の効果】
以上のように本発明によれば、浴槽に水がない状態で風呂回路の循環運転が行われ、追焚往き通路からパイパス通路を介してタンクにエアーが入った場合、暖房回路に所定の時間または流量、注水または給湯する自動注水またはお湯はり運転を行い、タンク内に入ったエアーをあらかじめ機器外に排出し、常にタンクを水で満たすことにより、常に暖房運転をスムーズに行えるよう制御して使用勝手を向上するという効果が得られる。
【００３３】
また、機器に暖房運転要求がない場合には水張り運転を行い、不必要なエネルギーの消費を抑え、暖房運転要求があるときはお湯張りを行い、その後の暖房運転の継続に支障がないようにすることが出来る。
【図面の簡単な説明】
【図１】本発明の実施例の追焚・暖房機能付給湯装置を示す構成図
【図２】従来の追焚・暖房機能付給湯装置を示す構造図
【符号の説明】
１　給湯栓
２　湯量センサー
３　燃焼用ファン
４　ガス元電磁弁
５　ガス比例弁
６　バーナ
７　給湯用熱交換器
８　給湯回路
９　バイパス制御弁
１０　遠隔操作用リモコン
１１　出湯サーミスター
１２　給湯接続口
１３　流水検知部
１５　循環ポンプ
１６　浴槽
１７　浴槽水
１８　追焚戻り通路
１９　戻り通路切換弁
２０　追焚・暖房用熱交換器
２１　追焚・暖房往き通路
２２　往き通路切換弁
２３　追焚往き通路
２４　暖房端末機
２５　暖房水
２６　暖房戻り第１通路
２７　タンク
２８　暖房戻り第２通路
２９　暖房往き通路
３０　給湯電磁弁
３２　バイパス通路
３３　制御手段
【図１】
2004044862.tif 000003
【図２】
2004044862.tif 000004